(57)【特許請求の範囲】
【請求項１】
それぞれ側面に長手方向に延びる取付溝を設けられた複数のデッキ材を互いに平行に並んだ状態でデッキ材支持材上に取り付けるデッキ材取付金具において、
該デッキ材取付金具が水平に置かれたとき水平となる面に広がる細長い平面状かつ矩形状の底部と、
この底部に設けられたビス挿通穴と、
前記底部の幅方向の両端部からそれぞれ直角方向上向きに折り曲げられた平面状の第一の立ち上がり面部および第二の立ち上がり面部と、
前記第一の立ち上がり面部から、横方向両端部を該第一の立ち上がり面部に切り残されて、軸方向を上下方向とする大略円弧状をなすように前記第二の立ち上がり面部側に湾曲突出された第一のビス支持部と、
前記第二の立ち上がり面部から、横方向両端部を該第二の立ち上がり面部に切り残されて、軸方向を上下方向とする大略円弧状をなすように前記第一の立ち上がり面部側に湾曲突出された第二のビス支持部と、
前記第一の立ち上がり面部の上端部から前記第二の立ち上がり面部と反対側横方向に折り曲げられている第一の係止部と、
前記第一の係止部の先端部に設けられた下方に突出する第一の係止部食い込み突起部と、
前記第二の立ち上がり面部の上端部から前記第一の立ち上がり面部と反対側横方向に折り曲げられている第二の係止部と、
前記第二の係止部の先端部に設けられた下方に突出する第二の係止部食い込み突起部とを一枚の金属板から加工されて一体的に有してなり、
第一のビス支持部の内面と前記第二のビス支持部の内面との間および前記ビス挿通穴に共通のビスが挿通されるようになっており、
前記第一の係止部が一方の前記デッキ材の前記取付溝、前記第二の係止部が他方の前記デッキ材の前記取付溝にそれぞれ挿入された状態で第一のビス支持部の内面と前記第二のビス支持部の内面との間および前記ビス挿通穴に挿通された前記ビスが前記デッキ材支持材にねじ込まれて締め付けられることにより、前記第一の係止部食い込み突起部が前記一方のデッキ材の前記取付溝の下面に食い込む一方、前記第二の係止部食い込み突起部が前記他方のデッキ材の前記取付溝の下面に食い込み、両方の前記デッキ材を前記デッキ材支持材に係止するようになっているデッキ材取付金具。
【請求項２】
前記第一の係止部側に設けられた上方に突出する第一の仮止め突起部と、
前記第二の係止部側に設けられた上方に突出する第二の仮止め突起部とを前記一枚の金属板から加工されてさらに一体的に有しており、
前記第二の係止部が前記他方のデッキ材の前記取付溝に挿入される前に前記第一の係止部の方が前記一方のデッキ材の前記取付溝に挿入されたときは、前記第一の仮止め突起部が前記一方のデッキ材の前記取付溝の上面に押圧され、当該デッキ材取付金具が前記一方のデッキ材の前記取付溝に仮止めされるようになっている一方、前記第一の係止部が前記一方のデッキ材の前記取付溝に挿入される前に前記第二の係止部の方が前記他方のデッキ材の前記取付溝に挿入されたときは、前記第二の仮止め突起部が前記他方のデッキ材の前記取付溝の上面に押圧され、当該デッキ材取付金具が前記他方のデッキ材の前記取付溝に仮止めされるようになっている請求項１記載のデッキ材取付金具。
【請求項３】
前記第一の仮止め突起部は、前記第一の立ち上がり面部の上端部から前記第一の係止部と同じ側に屈曲または湾曲して延びており、先端を自由端とされていて、外力を作用されていない状態では少なくともその一部が前記第一の係止部より上方に突出しており、
前記第二の仮止め突起部は、前記第二の立ち上がり面部の上端部から前記第二の係止部と同じ側に屈曲または湾曲して延びており、先端を自由端とされていて、外力を作用されていない状態では少なくともその一部が前記第二の係止部より上方に突出している請求項２記載のデッキ材取付金具。
【請求項４】
前記第一および第二の仮止め突起部は、それぞれ上斜め方向から下斜め方向に屈曲する屈曲部を途中に有している請求項３記載のデッキ材取付金具。
【請求項５】
前記第一の係止部は前記第一の立ち上がり面部から直角方向に折り曲げられた第一の水平部と、この第一の水平部から斜め下方に折り曲げられた第一の傾斜部とを有してなり、前記第一の係止部食い込み突起部は前記第一の傾斜部の先端に設けられており、
前記第二の係止部は前記第二の立ち上がり面部から直角方向に折り曲げられた第二の水平部と、この第二の水平部から斜め下方に折り曲げられた第二の傾斜部とを有してなり、前記第二の係止部食い込み突起部は前記第二の傾斜部の先端に設けられている請求項１乃至４のいずれか１項に記載のデッキ材取付金具。
【請求項６】
前記第一の立ち上がり面部に明けられた第一の開放部と、
前記第二の立ち上がり面部に明けられた第二の開放部とをさらに有しており、
前記第一のビス支持部は前記第二の開放部内にまで突出する一方、前記第二のビス支持部は前記第一の開放部内にまで突出している請求項１乃至５のいずれか１項に記載のデッキ材取付金具。
【請求項７】
それぞれ側面に長手方向に延びる取付溝を設けられた複数のデッキ材を互いに平行に並んだ状態でデッキ材取付金具によりデッキ材支持材上に取り付けるデッキ材取付構造において、
前記デッキ材取付金具は、
該デッキ材取付金具が水平に置かれたとき水平となる面に広がる細長い平面状かつ矩形状の底部と、
この底部に設けられたビス挿通穴と、
前記底部の幅方向の両端部からそれぞれ直角方向上向きに折り曲げられた平面状の第一の立ち上がり面部および第二の立ち上がり面部と、
前記第一の立ち上がり面部から、横方向両端部を該第一の立ち上がり面部に切り残されて、軸方向を上下方向とする大略円弧状をなすように前記第二の立ち上がり面部側に湾曲突出された第一のビス支持部と、
前記第二の立ち上がり面部から、横方向両端部を該第二の立ち上がり面部に切り残されて、軸方向を上下方向とする大略円弧状をなすように前記第一の立ち上がり面部側に湾曲突出された第二のビス支持部と、
前記第一の立ち上がり面部の上端部から前記第二の立ち上がり面部と反対側横方向に折り曲げられている第一の係止部と、
前記第一の係止部の先端部に設けられた下方に突出する第一の係止部食い込み突起部と、
前記第二の立ち上がり面部の上端部から前記第一の立ち上がり面部と反対側横方向に折り曲げられている第二の係止部と、
前記第二の係止部の先端部に設けられた下方に突出する第二の係止部食い込み突起部とを一枚の金属板から加工されて一体的に有してなり、
第一のビス支持部の内面と前記第二のビス支持部の内面との間および前記ビス挿通穴に共通のビスが挿通され、かつ前記第一の係止部が一方の前記デッキ材の前記取付溝、前記第二の係止部が他方の前記デッキ材の前記取付溝にそれぞれ挿入された状態で前記ビスが前記デッキ材支持材にねじ込まれて締め付けられることにより、前記第一の係止部食い込み突起部が前記一方のデッキ材の前記取付溝の下面に食い込む一方、前記第二の係止部食い込み突起部が前記他方のデッキ材の前記取付溝の下面に食い込み、両方の前記デッキ材を前記デッキ材支持材に係止されるデッキ材取付構造。
【発明の詳細な説明】
【技術分野】
【０００１】
本発明は、ベランダ、バルコニー、屋上、公園、遊歩道等においてデッキ床を構成するデッキ材を大引、根太等のデッキ材支持材に取り付けるためのデッキ材取付金具およびデッキ材取付構造に関する。
【背景技術】
【０００２】
この種のデッキ材取付構造においては、温度変化によりデッキ材が伸縮するため、デッキ材取付金具でデッキ材をデッキ材支持材に完全に固定することは避けることが好ましい。
【０００３】
このため、従来のデッキ材取付金具は、該金具に設けられた係止部でデッキ材を単に上から押さえるだけで、デッキ材をデッキ材支持材に取り付けるようになっており、デッキ材は、デッキ材取付金具の係止部に対し滑ることにより、幅方向および長さ方向に動くことができるようになっていた（例えば、特許文献１参照）。
【０００４】
したがって、デッキ材は幅方向および長さ方向に基本的に無制限に動き得るようになっていたので、デッキ材の取付位置が本来の位置からずれてしまったり、極端な場合には、デッキ材取付金具からデッキ材が外れてしまう虞があるという問題があった。
【０００５】
そこで本出願人等は、デッキ材の幅方向および長さ方向の動きをある程度許容して、温度変化によるデッキ材の伸縮を吸収し、なおかつデッキ材が幅方向および長さ方向に無制限には動くことができないようにすることができるデッキ材取付金具およびデッキ材取付構造を提案した（特許文献２）。この提案に係るデッキ材取付金具は、一枚の金属板を大略２つ折りにし、片方の部分が第一半部、他の片方の部分が第二半部を形成し、第一半部の第一の対向面部と第二半部の第二の対向面部とが互いにほぼ平行な状態で対向される構成としたもので、デッキ材の幅方向に関しては、温度変化によってデッキ材が伸縮しても、第一半部の第一の対向面部と第二半部の第二の対向面部との間の間隙の大きさが変化するようにデッキ材取付金具が弾性変形することにより、前記デッキ材の伸縮を吸収する。
【先行技術文献】
【特許文献】
【０００６】
【特許文献１】特開２００５−２６４６６３号公報
【特許文献２】特開２０１１−２３６６０１号公報
【発明の概要】
【発明が解決しようとする課題】
【０００７】
しかしながら前記特許文献２に開示された実施例においては、第一半部と第二半部との境界になる折り返し部が上方に行くほど幅が狭くなっており、第一半部の第一の対向面部と第二半部の第二の対向面部とが互いに近接して設けられていたので、（ａ）デッキ材の幅方向に関し温度変化によるデッキ材の伸縮の吸収可能量が小さい、（ｂ）第一半部と第二半部との間に水やゴミが溜まりやすく、ひいては取付金具の材質によっては腐食を招く虞がある、（ｃ）デッキ材上にいる人から取付金具の上部が見えやすく美観を損ねる虞がある等の問題があった。
【０００８】
また、前記特許文献２に開示されている取付金具においては、デッキ材の取付作業時に取付金具が転倒してデッキ材の溝から外れてしまったり、取付金具が作業者の意図に反してデッキ材の溝の所定の位置からずれてしまうことがあるという問題があった。
【０００９】
本発明は、このような従来の事情に鑑みてなされたもので、本発明の目的の一つは、デッキ材の幅方向に関し温度変化によるデッキ材の伸縮の吸収可能量を大きくできるデッキ材取付金具およびデッキ材取付構造を提供することにある。
【００１０】
本発明の他の目的は、取付金具内部に水やゴミが溜まりにくいデッキ材取付金具およびデッキ材取付構造を提供することにある。
【００１１】
本発明の他の目的は、デッキ材上にいる人から取付金具が見えにくく、美観を損ねる虞が少ないデッキ材取付金具およびデッキ材取付構造を提供することにある。
【００１２】
本発明の他の目的は、デッキ材の取付作業時に取付金具が転倒してデッキ材の溝から外れてしまったり、取付金具が作業者の意図に反してデッキ材の溝の所定の位置からずれてしまうことがなく、デッキ材の取付作業を容易に行うことができるデッキ材取付金具およびデッキ材取付構造を提供することにある。
【００１３】
本発明のさらに他の目的は、以下の説明から明らかになろう。
【課題を解決するための手段】
【００１４】
本発明によるデッキ材取付金具は、
それぞれ側面に長手方向に延びる取付溝を設けられた複数のデッキ材を互いに平行に並んだ状態でデッキ材支持材上に取り付けるデッキ材取付金具において、
該デッキ材取付金具が水平に置かれたとき水平となる面に広がる細長い平面状かつ矩形状の底部と、
この底部に設けられたビス挿通穴と、
前記底部の幅方向の両端部からそれぞれ直角方向上向きに折り曲げられた平面状の第一の立ち上がり面部および第二の立ち上がり面部と、
前記第一の立ち上がり面部から、横方向両端部を該第一の立ち上がり面部に切り残されて、軸方向を上下方向とする大略円弧状をなすように前記第二の立ち上がり面部側に湾曲突出された第一のビス支持部と、
前記第二の立ち上がり面部から、横方向両端部を該第二の立ち上がり面部に切り残されて、軸方向を上下方向とする大略円弧状をなすように前記第一の立ち上がり面部側に湾曲突出された第二のビス支持部と、
前記第一の立ち上がり面部の上端部から前記第二の立ち上がり面部と反対側横方向に折り曲げられている第一の係止部と、
前記第一の係止部の先端部に設けられた下方に突出する第一の係止部食い込み突起部と、
前記第二の立ち上がり面部の上端部から前記第一の立ち上がり面部と反対側横方向に折り曲げられている第二の係止部と、
前記第二の係止部の先端部に設けられた下方に突出する第二の係止部食い込み突起部とを一枚の金属板から加工されて一体的に有してなり、
第一のビス支持部の内面と前記第二のビス支持部の内面との間および前記ビス挿通穴に共通のビスが挿通されるようになっており、
前記第一の係止部が一方の前記デッキ材の前記取付溝、前記第二の係止部が他方の前記デッキ材の前記取付溝にそれぞれ挿入された状態で第一のビス支持部の内面と前記第二のビス支持部の内面との間および前記ビス挿通穴に挿通された前記ビスが前記デッキ材支持材にねじ込まれて締め付けられることにより、前記第一の係止部食い込み突起部が前記一方のデッキ材の前記取付溝の下面に食い込む一方、前記第二の係止部食い込み突起部が前記他方のデッキ材の前記取付溝の下面に食い込み、両方の前記デッキ材を前記デッキ材支持材に係止するようになっているものである。
【００１５】
また、本発明によるデッキ材取付構造は、
それぞれ側面に長手方向に延びる取付溝を設けられた複数のデッキ材を互いに平行に並んだ状態でデッキ材取付金具によりデッキ材支持材上に取り付けるデッキ材取付構造において、
前記デッキ材取付金具は、
該デッキ材取付金具が水平に置かれたとき水平となる面に広がる細長い平面状かつ矩形状の底部と、
この底部に設けられたビス挿通穴と、
前記底部の幅方向の両端部からそれぞれ直角方向上向きに折り曲げられた平面状の第一の立ち上がり面部および第二の立ち上がり面部と、
前記第一の立ち上がり面部から、横方向両端部を該第一の立ち上がり面部に切り残されて、軸方向を上下方向とする大略円弧状をなすように前記第二の立ち上がり面部側に湾曲突出された第一のビス支持部と、
前記第二の立ち上がり面部から、横方向両端部を該第二の立ち上がり面部に切り残されて、軸方向を上下方向とする大略円弧状をなすように前記第一の立ち上がり面部側に湾曲突出された第二のビス支持部と、
前記第一の立ち上がり面部の上端部から前記第二の立ち上がり面部と反対側横方向に折り曲げられている第一の係止部と、
前記第一の係止部の先端部に設けられた下方に突出する第一の係止部食い込み突起部と、
前記第二の立ち上がり面部の上端部から前記第一の立ち上がり面部と反対側横方向に折り曲げられている第二の係止部と、
前記第二の係止部の先端部に設けられた下方に突出する第二の係止部食い込み突起部とを一枚の金属板から加工されて一体的に有してなり、
第一のビス支持部の内面と前記第二のビス支持部の内面との間および前記ビス挿通穴に共通のビスが挿通され、かつ前記第一の係止部が一方の前記デッキ材の前記取付溝、前記第二の係止部が他方の前記デッキ材の前記取付溝にそれぞれ挿入された状態で前記ビスが前記デッキ材支持材にねじ込まれて締め付けられることにより、前記第一の係止部食い込み突起部が前記一方のデッキ材の前記取付溝の下面に食い込む一方、前記第二の係止部食い込み突起部が前記他方のデッキ材の前記取付溝の下面に食い込み、両方の前記デッキ材を前記デッキ材支持材に係止されるものである。
【００１６】
本発明においては、ビスを締め付けると、第一の係止部食い込み突起部および第二の係止部食い込み突起部が両側のデッキ材の取付溝の下面に食い込み、両側のデッキ材を係止するので、デッキ材が幅方向および長さ方向に無制限には動くことができないようにすることができる。
【００１７】
その一方、デッキ材の幅方向に関しては、温度変化によってデッキ材が伸縮しても、第一の係止部と第二の係止部との間の距離が変化することとなるように第一の立ち上がり面部と第二の立ち上がり面部との間の距離が変化する（このとき底部と第一および第二の立ち上がり面部との折り曲げ部付近も弾性変形する）ので、前記デッキ材の伸縮を吸収することができる。そして、第一の立ち上がり面部と第二の立ち上がり面部との間の間隔を大きくできるので、従来よりデッキ材の幅方向に関し温度変化によるデッキ材の伸縮の吸収可能量を大きくできる。
【００１８】
また、デッキ材の長さ方向に関しては、ビス支持部等のデッキ材取付金具のビスを挿通される部分の内径をビスの軸径より十分大きくしてビスとの間に遊びを持たせることにより、またビス支持部の弾性変形により、ビスとデッキ材取付金具との間に相対的な動きが可能になるので、温度変化によるデッキ材の伸縮を吸収することができる。
【００１９】
また、前述のように第一の立ち上がり面部と第二の立ち上がり面部との間の間隔を大きくできるので、取付金具内部に水やゴミが溜まりにくくなる。
【００２０】
さらに、第一の係止部および第二の係止部がデッキ材の取付溝内にほぼ完全に隠れるようになるので、デッキ材上にいる人から取付金具が見えにくく、美観を損ねる虞が少なくなる。
【００２１】
また、第一の係止部側に第一の仮止め突起部、第二の係止部側に第二の仮止め突起部をそれぞれ上方に突出するように設け、第二の係止部が前記他方のデッキ材の取付溝に挿入される前に第一の係止部の方が前記一方のデッキ材の取付溝に挿入されたときは、第一の仮止め突起部が前記一方のデッキ材の取付溝の上面に押圧され、当該デッキ材取付金具が前記一方のデッキ材の取付溝に仮止めされるようにする一方、第一の係止部が一方の前記デッキ材の取付溝に挿入される前に第二の係止部の方が前記他方のデッキ材の取付溝に挿入されたときは、第二の仮止め突起部が前記他方のデッキ材の取付溝の上面に押圧され、当該デッキ材取付金具が前記他方のデッキ材の取付溝に仮止めされるようにしておけば、デッキ材の取付作業時に取付金具が転倒してデッキ材の溝から外れてしまったり、取付金具が作業者の意図に反してデッキ材の溝の所定の位置からずれてしまうことがなく、デッキ材の取付作業を容易に行うことができる。
【発明の効果】
【００２２】
本発明のデッキ材取付金具およびデッキ材取付構造は、
（イ）デッキ材の幅方向に関し温度変化によるデッキ材の伸縮の吸収可能量を大きくできる、
（ロ）取付金具内部に水やゴミが溜まりにくくなり、ひいては取付金具の腐食を防止できる、
（ハ）デッキ材上にいる人から取付金具が見えにくく、美観を損ねる虞が少ない、
（ニ）仮止め突起部を設けることにより、デッキ材の取付作業時に取付金具が転倒してデッキ材の溝から外れてしまったり、取付金具が作業者の意図に反してデッキ材の溝の所定の位置からずれてしまうことがなく、デッキ材の取付作業を容易に行うことができる、
等の優れた効果を得られるものである。
【図面の簡単な説明】
【００２３】
【図１】本発明の実施例１におけるデッキ材取付金具を示す斜視図である。
【図２】前記実施例１のデッキ材取付金具を示す正面図である。
【図３】前記実施例１のデッキ材取付金具を示す背面図である。
【図４】前記実施例１のデッキ材取付金具を示す側面図である。
【図５】前記実施例１のデッキ材取付金具を示す平面図である。
【図６】前記実施例１のデッキ材取付金具を示す底面図である。
【図７】図２のＶＩＩ−ＶＩＩ線における断面図である。
【図８】図２のＶＩＩＩ−ＶＩＩＩ線における断面図である。
【図９】図５のＩＸ−ＩＸ線における断面図である。
【図１０】前記実施例１におけるデッキ材の取り付け工程を示す断面図である。
【図１１】図１０の要部を示す拡大断面図である。
【図１２】前記実施例１におけるデッキ材の次の取り付け工程を示す断面図である。
【図１３】前記実施例１における取付作業完了後のデッキ材取付構造を示す断面図である。
【図１４】図１３の要部を示す拡大断面図である。
【図１５】本発明の実施例２におけるデッキ材取付金具を示す斜視図である。
【図１６】前記実施例２のデッキ材取付金具を示す正面図である。
【図１７】前記実施例２のデッキ材取付金具を示す側面図である。
【図１８】前記実施例２のデッキ材取付金具を示す平面図である。
【図１９】前記実施例２におけるデッキ材の取り付け工程を示す断面図である。
【発明を実施するための形態】
【００２４】
以下、本発明を図面に示す実施例に基づいて説明する。
【実施例１】
【００２５】
図１〜１４は本発明の実施例１を示している。本実施例におけるデッキ材１は、木粉と樹脂を混合してなる人工木材からなり、図１０〜１４に示されるように、全体に中空状で、図１０〜１４における紙面に垂直な方向に長く延びる縦長の形状をなしており、両側面１ａに長手方向に延びる断面矩形状の取付溝２を設けられている。なお、本発明においては、デッキ材１の材質は、本実施例のような木粉と樹脂を混合してなる人工木材に限定されることはなく、木材、樹脂、金属等の他の材質であってもよい。
【００２６】
前記デッキ材１は、やはり図１０〜１４に示されている木材、人工木材または鋼鉄等の金属等からなる大引、根太等のデッキ材支持材３に、次に説明するデッキ材取付金具４を用いて取り付けられる。
【００２７】
図１〜９は本実施例におけるデッキ材取付金具４を示している。このデッキ材取付金具４は、ブロンズ、鋼鉄、ステンレス鋼、真鍮等の金属からなる一枚の金属板をプレス加工してなり、以下に述べる構成要素を一体的に有している。
【００２８】
底部５は、デッキ材取付金具４が水平に置かれたとき水平となる面に広がる細長い平面状かつ矩形状をなしている。この底部５の幅方向の両端部には、該底部５からそれぞれ直角方向上向きに折り曲げられた平面状の第一の立ち上がり面部６および第二の立ち上がり面部７が設けられている。これにより、第一の立ち上がり面部６と第二の立ち上がり面部７とは、互いに平行な状態で対向されている。前記底部５にはビス挿通穴８が設けられている。なお、本実施例では、前記ビス挿通穴８は、前記金属板に先に穴を打ち抜いた後、第一および第二の立ち上がり面部６，７を折り曲げ加工することにより形成されているので、最初に前記金属板に打ち抜かれた穴の形状から変形されて複雑な形状となってる。
【００２９】
前記第一の立ち上がり面部６の中央部下側には、矩形状の第一の開放部９が明けられている。前記第二の立ち上がり面部７の中央部上側には、矩形状の第二の開放部１０が明けられている。前記第一の立ち上がり面部６の中央部上側には、横方向両端部を該第一の立ち上がり面部６に切り残されて、軸方向を上下方向とする大略円弧状をなすように第二の立ち上がり面部７側に湾曲突出されることにより、第一のビス支持部１１が形成されており、第二の開放部１０内にまで突出している。前記第二の立ち上がり面部７の中央部下側には、横方向両端部を該第二の立ち上がり面部７に切り残されて、軸方向を上下方向とする大略円弧状をなすように第一の立ち上がり面部６側に湾曲突出されることにより、第二のビス支持部１２が形成されており、第一の開放部９内にまで突出している。なお、前記ビス挿通穴８、第一のビス支持部１１および第二のビス支持部１２は同軸に配置されている。
【００３０】
前記第一の立ち上がり面部６の上端部には、該上端部から第二の立ち上がり面部７と反対側横方向に折り曲げられて第一の係止部１３が形成されている。前記第一の係止部１３の先端部には、下方に突出する三角歯状の第一の係止部食い込み突起部１４が設けられている。さらに詳しく言うと、前記第一の係止部１３は第一の立ち上がり面部６から直角方向に折り曲げられた主たる部分が平面状をなす第一水平部１３ａと、この第一の水平部１３ａから斜め下方に折り曲げられた第一の傾斜部１３ｂとを有してなり、第一の係止部食い込み突起部１４は前記第一の傾斜部１３ｂの先端に設けられていて、斜め下方に突出している。
【００３１】
同様にして、前記第二の立ち上がり面部７の上端部には、該上端部から第一の立ち上がり面部６と反対側横方向に折り曲げられて第二の係止部１５が形成されている。前記第二の係止部１５の先端部には、下方に突出する三角歯状の第二の係止部食い込み突起部１６が設けられている。さらに詳しく言うと、前記第二の係止部１５は第二の立ち上がり面部７から直角方向に折り曲げられた主たる部分が平面状をなす第二水平部１５ａと、この第二の水平部１５ａから斜め下方に折り曲げられた第二の傾斜部１５ｂとを有してなり、第二の係止部食い込み突起部１６は前記第二の傾斜部１５ｂの先端に設けられていて、斜め下方に突出している。
【００３２】
前記第一の係止部１３の横方向両端部付近には、それぞれ球面状をなす一対の第一の仮止め突起部１７が上方に突出するように設けられている。前記第二の係止部１５の横方向両端部付近には、それぞれ球面状をなす一対の第二の仮止め突起部１８が上方に突出するように設けられている。
【００３３】
次に、図１０〜１４を用いて、本実施例におけるデッキ材１の取り付け工程およびデッキ材取付構造を説明する。
【００３４】
まず、図１０および１１に示されるように（図１１は図１０の要部を示す拡大断面図である）、先行のデッキ材１をデッキ材支持材３上の所定の位置に載置する。
【００３５】
次に、図１０および１１のように、ビス１９を第一のビス支持部１１の内面と第二のビス支持部１２の内面との間およびビス挿通穴８で構成される該ビス１９の挿通路の途中まで挿入し、該ビス１９が挿入されている状態のまま、第一の係止部１３をデッキ材１の取付溝２に挿入するとともに、第一の立ち上がり面部６をデッキ材１の側面１ａに当接する。すると、図１１によく示されるように、第一の仮止め突起部１７が取付溝２の上面２ｂを押圧し、デッキ材１の取付溝２にデッキ材取付金具４が仮止めされた状態となる。
【００３６】
続いて、図１２に示されるように、後続のデッキ材１を、前記先行のデッキ材１の隣に平行に載置し、第二の係止部１５が後続のデッキ材１の取付溝２に挿入されるようにするとともに、第二の立ち上がり面部７が後続のデッキ材１の側面１ａに当接されるようにする。
【００３７】
なお、この図１２の状態においては、デッキ材取付金具４の底部５がデッキ材支持材３の上面からわずかな距離だけ浮いた状態となっているようにすることが好ましい。これは、必要なときはデッキ材取付金具４の位置合わせのための移動を容易にするとともに最終的なデッキ材１の取付強度を増大する等のためである（ただし、本発明においては図１２に対応する状態において、デッキ材取付金具４の底部５がデッキ材支持材３の上面に接するようにしてもよい）。
【００３８】
次に、ビス１９を締め付け方向に回転すると、ビス１９は下降して行き、デッキ材取付金具４の底部５のビス挿通穴８を通過して、デッキ材支持材３に侵入して行くので、デッキ材取付金具４を介して先行および後続のデッキ材１を締め付けることができる。これにより、第一の係止部食い込み突起部１４および第二の係止部食い込み突起部１６が両側のデッキ材１の取付溝２の下面２ａにそれぞれ食い込み、隣り合うデッキ材１がデッキ材支持材３に係止されるとともに、デッキ材取付金具４の底部５がデッキ材支持材３の上面に当接される。図１３は本実施例における取付作業完了後のデッキ材取付構造を示す断面図、図１４は図１３のデッキ材取付金具４付近を示す拡大断面図である。このようにして、隣り合うデッキ材１が、互いに平行に並んだ状態でデッキ材支持材３上に取り付けられる。
【００３９】
以下同様にして、次々とデッキ材１を互いに平行に並んだ状態でデッキ材支持材３上に取り付けることができる。
【００４０】
このデッキ材取付金具４およびデッキ材取付構造においては、ビス１９を締め付けると、第一の係止部食い込み突起部１４および第二の係止部食い込み突起部１６が両側のデッキ材１の取付溝２の下面２ａに食い込み、両側のデッキ材１を係止するので、各デッキ材１が幅方向および長さ方向に無制限には動くことができないようにすることができる。
【００４１】
その一方、デッキ材１の幅方向（図１３，１４における左右方向）に関しては、温度変化によってデッキ材１が伸縮しても、第一の係止部１３と第二の係止部１５との間の距離が変化することとなるように第一の立ち上がり面部６と第二の立ち上がり面部７との間の距離が変化する（このとき底部５と第一および第二の立ち上がり面部６，７との折り曲げ部付近も弾性変形する）ので、前記デッキ材１の伸縮を吸収することができる。そして、第一の立ち上がり面部６と第二の立ち上がり面部７との間の間隔を大きくできるので、従来よりデッキ材の幅方向に関し温度変化によるデッキ材１の伸縮の吸収可能量を大きくできる。
【００４２】
また、デッキ材１の長さ方向（図１３，１４における紙面に垂直な方向）に関しては、デッキ材取付金具４のビス１９を挿通される部分（第一のビス支持部１１の内面と第二のビス支持部１２の内面との間およびビス挿通穴８）の内径をビス１９の軸径より十分大きくしてビス１９との間に遊びを持たせることにより、また第一のビス支持部１１および第二のビス支持部１２の弾性変形により、ビス１９とデッキ材取付金具４との間に相対的な動きが可能になるので、温度変化によるデッキ材１の伸縮を吸収することができる。
【００４３】
なお、デッキ材１の幅方向に関しては、ビス１９を挿通される部分の内径をビス１９の軸径より十分大きくしてビス１９との間に遊びを持たすことや、第一のビス支持部１１および第二のビス支持部１２の弾性変形によっては、温度変化によるデッキ材１の伸縮を基本的には吸収することができない。この方向に関しては、デッキ材取付金具４は温度変化に基づくデッキ材１の伸縮により両側のデッキ材１から互いに反対向きの力を作用されるからである。他方、デッキ材１の長さ方向に関しては、デッキ材取付金具４は温度変化に基づくデッキ材１の伸縮により両側のデッキ材１から同じ向きの力を作用されるので、前述のようにビス１９を挿通される部分の内径をビス１９の軸径より十分大きくしてビス１９との間に遊びを持たせることにより、また第一のビス支持部１１および第二のビス支持部１２の弾性変形により、温度変化によるデッキ材１の伸縮を吸収することができるのである。
【００４４】
また、このデッキ材取付金具４およびデッキ材取付構造においては、前述のように第一の立ち上がり面部６と第二の立ち上がり面部７との間の間隔を大きくできるので、取付金具４内部に水やゴミが溜まりにくくなり、ひいては取付金具４の腐食を防止できる。
【００４５】
さらに、第一の係止部１３および第二の係止部１５がデッキ材１の取付溝２内にほぼ完全に隠れるようになるので、デッキ材１上にいる人から取付金具４が見えにくく、美観を損ねる虞が少なくなる。
【００４６】
また、本実施例では、前述のようにデッキ材１の取り付け過程において、第一の仮止め突起部１７によりデッキ材１の取付溝２にデッキ材取付金具４が仮止めされた状態となるので、デッキ材１の取付作業時に取付金具４が転倒してデッキ材１の溝から外れてしまったり、取付金具４が作業者の意図に反してデッキ材１の溝の所定の位置からずれてしまうことがなく、デッキ材１の取付作業を容易に行うことができる。
【００４７】
また、第一の仮止め突起部１７によりデッキ材取付金具４が完全に固定されてしまう訳ではないので、ビス１９締め付け前は、必要であれば、作業者はデッキ材１に対しデッキ材取付金具４を動かして、デッキ材取付金具４の位置を調整することもできる。
【００４８】
なお、本実施例においては、第一の係止部１３の方を先行するデッキ材１の取付溝２に挿入し、第二の係止部１５の方を後続のデッキ材１の取付溝２に挿入することとしたが、第二の係止部１５の方を先行するデッキ材１の取付溝２に挿入し、第一の係止部１３の方を後続のデッキ材１の取付溝２に挿入してもよく、その場合は第二の係止部１５の方を先行するデッキ材１の取付溝２に挿入した時点で第二の仮止め突起部１８が取付溝２の上面２ｂを押圧し、先行するデッキ材１の取付溝２にデッキ材取付金具４が仮止めされた状態となり、前記第一の仮止め突起部１７による仮止め効果と全く同じ効果を得ることができる。
【００４９】
また、本実施例では、第一の係止部１３は第一の立ち上がり面部６から直角方向に折り曲げられた第一水平部１３ａと、この第一の水平部１３ａから斜め下方に折り曲げられた第一の傾斜部１３ｂとを有してなるとともに、第二の係止部１５も第二の立ち上がり面部７から直角方向に折り曲げられた第二水平部１５ａと、この第二の水平部１５ａから斜め下方に折り曲げられた第二の傾斜部１５ｂとを有してなるので、第一および第二の係止部１３，１５により大きな弾力性を付与し、これらの第一および第二の係止部１３，１５がより確実にデッキ材１を係止するようにすることができる。
【００５０】
さらに本実施例では、第一の立ち上がり面部６に明けられた第一の開放部９と、第二の立ち上がり面部７に明けられた第二の開放部１０とを有しており、第一のビス支持部１１は第二の開放部１０内にまで突出する一方、第二のビス支持部１２は第一の開放部９内にまで突出しているので、第一の立ち上がり面部６と第二の立ち上がり面部７との間の間隔が過大にならないようにしつつ必要なネジ径のビス１９を使用することができる。
【実施例２】
【００５１】
図１５〜１９は本発明の実施例２を示している。前記実施例１においては、第一および第二の仮止め突起部１７，１８が球面状をなしていてかつ第一および第二の係止部１３，１５に設けられていたが、本発明においては、仮止め突起部の形状および設置位置は前記実施例１のようなものに限定されることはない。本実施例は第一および第二の仮止め突起部１７，１８の形状および設置位置を変えた例である。
【００５２】
本実施例においても、それぞれ一対をなす第一の仮止め突起部１７および第二の仮止め突起部１８は他の構成要素とともに１枚の金属板からプレス加工されている。そして、本実施例においては、一対の第一の仮止め突起部１７は、それぞれ第一の立ち上がり面部６の上端両端部から第一の係止部１３と同じ側に細長く延びており、上斜め方向から下斜め方向に屈曲する屈曲部１７ａを途中に有し、先端を自由端とされていて、外力を作用されていない状態では屈曲部１７ａを含む多くの部分が第一の係止部１３より上方に突出している。同様にして、一対の第二の仮止め突起部１８は、それぞれ第二の立ち上がり面部７の上端両端部から第二の係止部と同じ側に細長く延びており、上斜め方向から下斜め方向に屈曲する屈曲部１８ａを途中に有し、先端を自由端とされていて、外力を作用されていない状態では屈曲部１８ａを含む多くの部分が第二の係止部１５より上方に突出している。
【００５３】
他の構成は前記実施例１の場合と同様である。
【００５４】
本実施例においては、第一の係止部１３を先行のデッキ材１の取付溝２に挿入すると、図１９に示されるように、第一の仮止め突起部１７が取付溝２の上面２ｂに押し下げられて変形し、該第一の仮止め突起部１７の屈曲部１７ａ付近が該第一の仮止め突起部１７の弾性復元力により取付溝２の上面２ｂを押圧している状態となるので、デッキ材１の取付溝２にデッキ材取付金具４が仮止めされた状態となる。
【００５５】
なお、図１９では、第一の係止部１３の方を先行のデッキ材１の取付溝２に挿入することとしているが、第二の係止部１５の方を先行するデッキ材１の取付溝２に挿入してもよく、その場合は第二の仮止め突起部１８が取付溝２の上面２ｂに押し下げられて変形し、該第二の仮止め突起部１８の屈曲部１８ａ付近が該第二の仮止め突起部１８の弾性復元力により取付溝２の上面２ｂを押圧している状態となるので、デッキ材１の取付溝２にデッキ材取付金具４が仮止めされた状態となる。
【００５６】
本実施例においては、第一および第二の仮止め突起部１７，１８が弾性変形し易いのでより確実な仮止め効果を得ることができる。
【００５７】
さらに、本実施例においては、第一および第二の屈曲部１７ａ，１８ａが設けられているので、第一および第二の仮止め突起部１７，１８をデッキ材１の取付溝２に挿入し易い。
【００５８】
そして、その他は実施例１と同様の作用効果を得ることができる。
【００５９】
なお、前記各実施例においては、第一の係止部１３は第一の立ち上がり面部６から直角方向に折り曲げられた第一水平部１３ａと、この第一の水平部１３ａから斜め下方に折り曲げられた第一の傾斜部１３ｂとを有してなるとともに、第二の係止部１５は第二の立ち上がり面部７から直角方向に折り曲げられた第二水平部１５ａと、この第二の水平部１５ａから斜め下方に折り曲げられた第二の傾斜部１５ｂとを有してなる構成としているが、本発明においては、第一および第二の係止部１３，１５を他の構成としてもよいし、第一の係止部食い込み突起部１４および第二の係止部食い込み突起部１５が斜め下方に突出するのではなく、真下に向かって突出するようにしてもよい。
【００６０】
また、本発明においては、第一の係止部食い込み突起部１４および第二の係止部食い込み突起部１５は、必ずしも前記各実施例のように三角歯状ではなく、他の形状の突起部としてもよい。
【産業上の利用可能性】
【００６１】
以上のように本発明によるデッキ材取付金具およびデッキ材取付構造は、ベランダ、バルコニー、屋上、公園、遊歩道等においてデッキ床を構成するデッキ材を大引、根太等のデッキ材支持材に取り付けるためのデッキ材取付金具およびデッキ材取付構造として有用である。
【符号の説明】
【００６２】
１    デッキ材
１ａ  デッキ材の側面
２    取付溝
２ａ  取付溝の下面
２ｂ  取付溝の上面
３    デッキ材支持材
４    デッキ材取付金具
５    底部
６    第一の立ち上がり面部
７    第二の立ち上がり面部
８    ビス挿通穴
９    第一の開放部
１０    第二の開放部
１１    第一のビス支持部
１２    第二のビス支持部
１３    第一の係止部
１３ａ  第一の水平部
１３ｂ  第一の傾斜部
１４    第一の係止部食い込み突起部
１５    第二の係止部
１５ａ  第二の水平部
１５ｂ  第二の傾斜部
１６    第二の係止部食い込み突起部
１７    第一の仮止め突起部
１７ａ  第一の仮止め突起部の屈曲部
１８    第二の仮止め突起部
１８ａ  第二の仮止め突起部の屈曲部
１９    ビス
【図１】
0006364145.tif 000002
【図２】
0006364145.tif 000003
【図３】
0006364145.tif 000004
【図４】
0006364145.tif 000005
【図５】
0006364145.tif 000006
【図６】
0006364145.tif 000007
【図７】
0006364145.tif 000008
【図８】
0006364145.tif 000009
【図９】
0006364145.tif 000010
【図１０】
0006364145.tif 000011
【図１１】
0006364145.tif 000012
【図１２】
0006364145.tif 000013
【図１３】
0006364145.tif 000014
【図１４】
0006364145.tif 000015
【図１５】
0006364145.tif 000016
【図１６】
0006364145.tif 000017
【図１７】
0006364145.tif 000018
【図１８】
0006364145.tif 000019
【図１９】
0006364145.tif 000020